【手続補正書】
【提出日】平成22年2月23日(2010.2.23)
【手続補正１】
【補正対象書類名】明細書
【補正対象項目名】特許請求の範囲
【補正方法】変更
【補正の内容】
【特許請求の範囲】
【請求項１】  可変表示開始条件の成立に基づいて、表示内容を可変表示可能な可変表示手段を備え、前記可変表示手段に特定の表示態様が表示されたときに遊技者に有利な特定遊技状態に制御可能となる遊技機であって、
前記可変表示手段は、
所定期間のうち、既に経過した経過期間、または、残余期間を認識可能に更新して期間表示を行なうことが可能であり、
当該期間表示が行なわれる可変表示の実行中において、前記特定の表示態様が表示された場合には、当該可変表示を終了するとともに、前記特定遊技状態に制御可能となることを特徴とする、遊技機。
【請求項２】  前記期間表示が行なわれる可変表示の実行中において、前記所定期間が満了する以前の段階で前記特定の表示態様が表示された場合には前記所定期間の満了を待つことなく前記期間表示の更新を終了することを特徴とする、請求項１に記載の遊技機。
【請求項３】  前記可変表示手段は、複数種類の識別情報を更新して可変表示可能な複数の可変表示部を備え、
前記特定の表示態様は前記複数の可変表示部に予め定められた識別情報の組合せが表示されたことであることを特徴とする、請求項１または請求項２に記載の遊技機。
【請求項４】  前記所定期間中に前記識別情報を更新する表示と前記識別情報の更新を停止する表示とを複数回行なうことが可能であり、
前記更新を停止する表示の際に、前記特定の表示態様を導出可能であることを特徴とする、請求項３に記載の遊技機。
【請求項５】  前記特定の表示態様は、演出キャラクタの態様が所定の態様となったことであることを特徴とする、請求項１または請求項２に記載の遊技機。
【請求項６】  前記所定期間の可変表示の表示内容を事前に決定する表示内容事前決定手段を含み、
該表示内容事前決定手段は、前記特定の表示態様を表示することを事前に決定したときに前記所定期間内での前記特定の表示態様の表示タイミングをも複数のタイミングの内より選択して決定することを特徴とする、請求項１〜請求項５のいずれかに記載の遊技機。
【請求項７】  前記表示内容事前決定手段は、前記所定期間の可変表示開始以前に、予め定められた複数種類の変動パターンのうちからいずれか一の変動パターンを選択決定し、
前記特定の表示態様の表示タイミングは、前記変動パターンにより決定されることを特徴とする、請求項６に記載の遊技機。
【請求項８】  前記変動パターンは、複数の可変表示の内容を組合せて構成され、
前記複数の可変表示の内容には、異なる複数の変動パターンにおいて共通して用いられるものがあることを特徴とする、請求項７に記載の遊技機。
【請求項９】  可変表示開始条件の成立に基づいて、表示内容を可変表示可能な可変表示手段を備え、前記可変表示手段に特定の表示態様が表示されたときに遊技者に有利な特定遊技状態に制御可能となるとともに、
前記可変表示手段に特別の表示態様が表示されたことにより、前記特定遊技状態とは異なる遊技状態であって前記特定遊技状態となり易い特別遊技状態に制御可能となる遊技機において、
前記可変表示手段に前記特定の表示態様が表示され、前記特定遊技状態に制御可能となった後に、前記特別の表示態様が表示されるか否かの可変表示を行なうことが可能であって、
前記可変表示手段は、
所定期間のうち、既に経過した経過期間、または、残余期間を認識可能に更新して期間表示を行なうことが可能であり、
当該期間表示が行なわれる可変表示の実行中において、前記特別の表示態様が表示された場合には、当該可変表示を終了するとともに、前記特別遊技状態に制御可能となることを特徴とする、遊技機。
【請求項１０】  前記期間表示が行なわれる可変表示の実行中において、前記所定期間が満了する以前の段階で前記特別の表示態様が表示された場合には前記所定期間の満了を待つことなく前記期間表示の更新を終了することを特徴とする、請求項９に記載の遊技機。
【請求項１１】  前記可変表示手段は、複数種類の識別情報を更新して可変表示可能な複数の可変表示部を備え、
前記特別の表示態様は前記複数の可変表示部に予め定められた識別情報の組合せが表示されたことであることを特徴とする、請求項９または請求項１０に記載の遊技機。
【請求項１２】  前記可変表示手段は、
前記所定期間中に前記識別情報を更新する表示と前記識別情報の更新を停止する表示とを複数回行なうことが可能であり、
前記更新を停止する表示の際に、前記特別の表示態様を導出可能であることを特徴とする、請求項１１に記載の遊技機。
【請求項１３】  前記特別の表示態様は、演出キャラクタの態様が所定の態様となったことであることを特徴とする、請求項９または請求項１０に記載の遊技機。
【請求項１４】  可変表示手段の表示結果が導出表示されることにより１ゲームの終了条件が成立し、該可変表示手段の表示結果に応じて入賞が発生し得る遊技機であって、
前記入賞を許容するか否かを前記可変表示手段の表示結果が導出される前に決定する事前決定手段と、
該事前決定手段の決定に応じて、表示内容を可変表示可能な演出用可変表示手段とを備え、
該演出用可変表示手段に特定の表示態様が表示されたことをもって、前記入賞が許容されているか否かの情報を報知可能であって、
前記演出用可変表示手段は、
所定期間のうち、既に経過した経過期間、または、残余期間を認識可能に更新して期間表示を行なうことが可能であり、
当該期間表示が行なわれる可変表示の実行中において、前記特定の表示態様が表示された場合には、当該可変表示を終了するとともに、前記入賞が許容されているか否かの情報を報知することを特徴とする、遊技機。
【請求項１５】  前記期間表示が行なわれる可変表示の実行中において、前記所定期間が満了する以前の段階で前記特定の表示態様が表示された場合には前記所定期間の満了を待つことなく前記期間表示の更新を終了することを特徴とする、請求項１４に記載の遊技機。
【請求項１６】  前記演出用可変表示手段は、複数種類の識別情報を更新して可変表示可能な複数の可変表示部を備え、
前記特定の表示態様は前記複数の可変表示部に表示された識別情報の表示結果が予め定められた識別情報の組合せとなったことであることを特徴とする、請求項１４または請求項１５に記載の遊技機。
【請求項１７】  前記演出用可変表示手段は、
前記所定期間中に前記識別情報を更新する表示と前記識別情報の更新を停止する表示とを複数回行なうことが可能であり、
前記更新を停止する表示の際に、前記特定の表示態様を導出可能であることを特徴とする、請求項１６に記載の遊技機。
【請求項１８】  前記特定の表示態様は、演出キャラクタの態様が所定の態様となったことであることを特徴とする、請求項１４または請求項１５に記載の遊技機。
【請求項１９】  前記期間表示は、前記所定期間の経過状況に応じて数値を更新する表示により行なわれることを特徴とする、請求項１〜請求項１８のいずれかに記載の遊技機。
【手続補正２】
【補正対象書類名】明細書
【補正対象項目名】０００５
【補正方法】変更
【補正の内容】
【０００５】
【課題を解決するための手段の具体例およびその効果】
（１）  可変表示開始条件の成立に基づいて（始動口１４への打玉の入賞）、表示内容を可変表示可能な可変表示手段（可変表示装置８）を備え、前記可変表示手段に特定の表示態様（「８，８，８」による大当たり図柄）が表示されたときに遊技者に有利な特定遊技状態（大当たり状態）に制御可能となる遊技機（図１のパチンコ遊技機１）であって、前記可変表示手段は、所定期間のうち、既に経過した経過期間（図２２参照）、または、残余期間（図２１、図２３および図２４参照）を認識可能に更新して期間表示を行なうことが可能であり（可変表示装置８の可変表示領域の右下隅の領域の期間表示）、当該期間表示が行なわれる可変表示の実行中において、前記特定の表示態様が表示された場合には、当該可変表示を終了するとともに、前記特定遊技状態に制御可能となる（図２１〜図２４参照）。
【手続補正３】
【補正対象書類名】明細書
【補正対象項目名】０００６
【補正方法】変更
【補正の内容】
【０００６】
上記の構成によれば、期間表示が行なわれる可変表示の実行中において、特定の表示態様が表示された場合には可変表示を終了するとともに、特定遊技状態に制御されるため、意味のない可変表示が行なわれず、可変表示の終了後即座に特定遊技状態へと変化するので、遊技の進行をスピーディに行なうことができる。
【手続補正４】
【補正対象書類名】明細書
【補正対象項目名】０００７
【補正方法】変更
【補正の内容】
【０００７】
（２）  前記期間表示が行なわれる可変表示の実行中において、前記所定期間が満了する以前の段階で前記特定の表示態様が表示された場合には前記所定期間の満了を待つことなく前記期間表示の更新を終了する（図２１〜図２４参照）。
【手続補正５】
【補正対象書類名】明細書
【補正対象項目名】００１６
【補正方法】変更
【補正の内容】
【００１６】
（６）  前記所定期間の可変表示の表示内容を事前に決定する表示内容事前決定手段（図６のランダムカウンタ３と同様のカウンタ）を含み、該表示内容事前決定手段は、前記特定の表示態様を表示することを事前に決定したときに前記所定期間内での前記特定の表示態様の表示タイミングをも複数のタイミングの内より選択して決定する（図９および図１８のＳＥ０３）。
【手続補正６】
【補正対象書類名】明細書
【補正対象項目名】００２３
【補正方法】変更
【補正の内容】
【００２３】
（９）  可変表示開始条件の成立（始動口１４への打玉の入賞）に基づいて、表示内容を可変表示可能な可変表示手段（可変表示装置８）を備え、前記可変表示手段に特定の表示態様（大当たり図柄）が表示されたときに遊技者に有利な特定遊技状態（大当たり状態）に制御可能となるとともに、前記可変表示手段に特別の表示態様（確率変動抽選により確変当り図柄）が表示されたことにより、前記特定遊技状態とは異なる遊技状態であって前記特定遊技状態となり易い特別遊技状態（確率変動状態）に制御可能となる遊技機（図１のパチンコ遊技機１）において、前記可変表示手段に前記特定の表示態様（大当たり図柄）が表示され、前記特定遊技状態（大当たり状態）に制御可能となった後に、前記特別の表示態様が表示されるか否かの可変表示を行なうことが可能であって、前記可変表示手段は、所定期間のうち、既に経過した経過期間（図２２参照）、または、残余期間（図２１、図２３および図２４参照）を認識可能に更新して期間表示を行なうことが可能であり（可変表示装置８の可変表示領域の右下隅の領域の期間表示）、当該期間表示が行なわれる可変表示の実行中において、前記特別の表示態様が表示された場合には、当該可変表示を終了するとともに、前記特別遊技状態に制御可能となる（図２１〜図２４参照）。
【手続補正７】
【補正対象書類名】明細書
【補正対象項目名】００２４
【補正方法】変更
【補正の内容】
【００２４】
上記の構成によれば、期間表示が行なわれる可変表示の実行中において、特別の表示態様が表示された場合には可変表示を終了するとともに、特別遊技状態に制御されるため、意味のない可変表示が行なわれないので、遊技の進行をスピーディに行なうことができる。
【手続補正８】
【補正対象書類名】明細書
【補正対象項目名】００３４
【補正方法】変更
【補正の内容】
【００３４】
前記所定期間の可変表示の表示内容を事前に決定する表示内容事前決定手段（図６のランダムカウンタ３と同様のカウンタ）を含み、該表示内容事前決定手段は、前記特別の表示態様を表示することを事前に決定したときに前記所定の表示期間内での前記特別の表示態様の表示タイミングをも複数のタイミングの内より選択して決定する（図９および図１８のＳＥ０３）。
【手続補正９】
【補正対象書類名】明細書
【補正対象項目名】００４１
【補正方法】変更
【補正の内容】
【００４１】
（１４）  可変表示手段（リール１０２３Ｌ，１０２３Ｃ，１０２３Ｒ）の表示結果が導出表示されることにより１ゲームの終了条件が成立し、該可変表示手段の表示結果に応じて入賞が発生し得る遊技機（図３１のスロットマシン１００１）であって、前記入賞を許容するか否かを前記可変表示手段の表示結果が導出される前に決定する事前決定手段（遊技制御基板１１００）と、該事前決定手段の決定に応じて、表示内容を可変表示可能な演出用可変表示手段（可変表示装置１０６５および演出制御基板１１０１）とを備え、該演出用可変表示手段に特定の表示態様（「７，７，７」）が表示されたことをもって、前記入賞が許容されているか否かの情報（ビッグボーナス等が内部当選したことの告知表示）を報知可能であって、前記演出用可変表示手段は、所定期間（３０秒）のうち、既に経過した経過期間（図２２参照）、または、残余期間（図２１、図２３および図２４参照）を認識可能に更新して期間表示を行なうことが可能であり（パチンコ遊技機１の可変表示装置８の可変表示領域の右下隅の領域の期間表示と同様の期間表示）、当該期間表示が行なわれる可変表示の実行中において、前記特定の表示態様が表示された場合には、当該可変表示を終了するとともに、前記入賞が許容されているか否かの情報を報知する（図２１〜図２４参照）。
【手続補正１０】
【補正対象書類名】明細書
【補正対象項目名】００４２
【補正方法】変更
【補正の内容】
【００４２】
上記の構成によれば、期間表示が行なわれる可変表示の実行中において、特定の表示態様が表示された場合には可変表示を終了するとともに、特定遊技状態に制御されるため、意味のない可変表示が行なわれず、可変表示の終了後即座に特定遊技状態へと変化するので、遊技の進行をスピーディに行なうことができる。
【手続補正１１】
【補正対象書類名】明細書
【補正対象項目名】００４３
【補正方法】変更
【補正の内容】
【００４３】
（１５）  前記期間表示が行なわれる可変表示の実行中において、前記所定期間が満了する以前の段階で前記特定の表示態様が表示された場合には前記所定期間の満了を待つことなく前記期間表示の更新を終了する（図２１〜図２４参照）。
【手続補正１２】
【補正対象書類名】明細書
【補正対象項目名】００５２
【補正方法】変更
【補正の内容】
【００５２】
前記所定期間の可変表示の表示内容を事前に決定する表示内容事前決定手段（図６のランダムカウンタ３と同様のカウンタ）を含み、該表示内容事前決定手段は、前記特定の表示態様を表示することを事前に決定したときに前記所定の表示期間内での前記特定の表示態様の表示タイミングをも複数のタイミングの内より選択して決定する（図９および図１８のＳＥ０３）。